(57)【要約】【課題】焼却可能部材と不焼却部材とに簡単に分別し得るバインダを提供する。【解決手段】背表紙１０の中央部の両側縁部に、上端から垂直および水平方向に連接したロックピン挿嵌溝１１ａを有するバインダ金具の支持片１１を対向立設し、背表紙の両側縁部に回動自在に両表紙１２を連接したバインダ本体１４と、支持片１１に上方から嵌合し得る逆Ｕ字状溝１５ａを有する支持部材１５と、その上端に摺動自在に嵌合した摺動体１６と、摺動体に逆Ｕ字状溝１５ａに架橋して固定し、ロックピン挿嵌溝に垂直および水平方向に移動してロックされるロックピン１７と、支持部材の内壁１５ｂに直角に固定した紙葉類の綴り杵１８と、他方の支持部材の内壁に直角に固定した綴り杵が挿嵌される綴り筒杵１９と、支持部材の両端部に外方に突出し、両表紙を閉じた時に前記支持部材が内方に押動される突起部２０とより形成されたバインダ金具２１とより構成されたバインダ。【選択図】　図４
2004082665.tif 000002
【特許請求の範囲】
【請求項１】
背表紙と、
この背表紙の中央部の両側縁部に内方に向かって一体に対向立設し、上端から垂直および水平方向に連接したロックピン挿嵌溝と、長手方向の所定間隔位置に穿設した紙葉類の綴り杵を挿通固定し得る孔とを有するバインダ金具の支持片と、
この支持片の立設位置を除く前記背表紙の両側縁部に回動自在に連接した両表紙と
より形成されたことを特徴とするバインダ本体。
【請求項２】
バインダ本体に形成したバインダ金具の支持片に上方から長手方向に移動しないように嵌合するため、長手方向の両端に形成した前記支持片の長手方向の両端に当接する折曲部と逆Ｕ字状溝を有する支持部材と、
この支持部材の上端に長手方向に摺動自在に嵌合した摺動体と、
この摺動体に前記支持部材の逆Ｕ字状溝を架橋するように固定し、前記バインダ金具の支持片のロックピン挿嵌溝に上端から垂直方向に挿通し、さらに、前記摺動体とともに水平方向に移動してロックされるロックピンと、
前記支持部材の互いに対向する内壁に直角に固定した紙葉類の綴り杵と、
対向する他方の支持部材の内壁に直角に固定した前記綴り杵が挿嵌される紙葉類の綴り筒杵と、
前記支持部材の長手方向の両端部に外方に突出し、前記バインダ本体の両表紙を閉じたときにこの両表紙によって前記支持部材が互いに内方に押動される突起部と
より構成されたことを特徴とするバインダ金具。
【請求項３】
背表紙と、この背表紙の中央部の両側縁部に内方に向かって一体に対向立設し、上端から垂直および水平方向に連接したロックピン挿嵌溝と、長手方向の所定間隔位置に穿設した紙葉類の綴り杵を挿通固定し得る孔とを有するバインダ金具の支持片と、この支持片の立設位置を除く前記背表紙の両側縁部に回動自在に連接した両表紙とより形成されたバインダ本体と、
このバインダ本体に形成したバインダ金具の支持片に上方から長手方向に移動しないように嵌合するため、長手方向の両端に形成した前記支持片の長手方向の両端に当接する折曲部と逆Ｕ字状溝を有する支持部材と、この支持部材の上端に長手方向に摺動自在に嵌合した摺動体と、この摺動体に前記支持部材の逆Ｕ字状溝を架橋するように固定し、前記バインダ金具の支持片のロックピン挿嵌溝に上端から垂直方向に挿通し、さらに、前記摺動体とともに水平方向に移動してロックされるロックピンと、前記支持部材の互いに対向する内壁に直角に固定した紙葉類の綴り杵と、対向する他方の支持部材の内壁に直角に固定した前記綴り杵が挿嵌される紙葉類の綴り筒杵と、前記支持部材の長手方向の両端部に外方に突出し、前記バインダ本体の両表紙を閉じたときにこの両表紙によって前記支持部材が互いに内方に押動される突起部とより形成されたバインダ金具と、
より構成されたことを特徴とするバインダ。
【発明の詳細な説明】
【０００１】
【発明の属する技術分野】
本発明は、例えば、バンフレットや小冊子などの紙葉類の綴込み保存に用いられるバインダの構成部材であり、特に焼却可能部材と不焼却部材との分別廃棄処理時における焼却可能部材であるバインダ本体と、金属などの不焼却部材であるバインダ金具と、このバインダ本体とバインダ金具との組み合わせになるバインダに関するものであり、バインダ本体からバインダ金具の分離が容易に行えるようにしたものである。
【０００２】
【従来の技術】
従来のバインダは図７に示すように構成されている。すなわち、符号１はバインダ本体であり、厚紙などの可燃材料により、背表紙２と、この背表紙２の両側縁部に折り曲げ開閉自在に設けた表裏両表紙３、４とから形成されている。符号５は不焼却部材であるバインダ金具であり、前記バインダ本体１の背表紙２の内側２ａに取り付けられ、たとえばパンフレットや小冊子などの紙葉類（図示せず）が綴込み保存される。
【０００３】
前記バインダ金具５は、前記バインダ本体１の背表紙２の内側２ａに取り付ける取付基盤５ａと、この取付基盤５ａの両側縁に互いに立ち上がり対向し得るように組み付けられ、かつ、図示しないスプリングにて後方に傾倒可能に付勢された回動自在な一対のヒンジ部５ｂ、５ｂと、これら各ヒンジ部５ｂ、５ｂにそれぞれ設けられ互いに挿嵌自在に架橋される一対の綴じ杵５ｃ、５ｃ′とで構成されている。そして、このバインダ金具５は、その取付基盤５ａを、前記バインダ本体１の背表紙２の内側２ａに、複数のリベット６によって固着されて取り付けられている。
【０００４】
【発明が解決しようとする課題】
前記のような従来のバインダでは、バインダ金具５の取付基盤５ａが複数のリベット６によってバインダ本体１の背表紙２の内面２ａに固着されているので、このバインダを、焼却可能部材であるバインダ本体１と、不焼却部材であるバインダ金具５とに分別して廃棄処理するときに、バインダ本体１からバインダ金具５を取り外す際に、前記複数のリベット６を取り外さなければならないので、それが面倒で容易に行うことができない。そのため、バインダの分別廃棄処理作業に多大な手間を要し、その作業コストが高騰することになる。
【０００５】
しかも、複数のリベット６を取り外す際に、特に、バインダ金具５の取付基盤５ａの表面が傷付き、バインダ金具５を取り外した後にそのまま再利用することができず、再利用する際には、メッキ処理を施す必要があるなどの問題があった。
【０００６】
また、本出願人が先に特願２００１−２４１８７５号（未公開）として出願したバインダがある。このバインダは、バインダ本体の背表紙の中央部の両側縁部に、表紙を切り起こしてヒンジ部を対向立設し、このヒンジ部にバインダ金具を取り付けるようにし、前記表紙を切り起こしてヒンジ部を対向立設した後に残る切り起こし開口を、バインダ本体の背表紙の外側に化粧紙を貼って隠しているが、表紙を閉じたときに、前記バインダ金具が化粧紙の内側に当接して、化粧紙を損傷させるおそれがあった。また、前記バインダ金具をヒンジ部に取り付けたときに、これがヒンジ部の長手方向に摺動するおそれがあった。
【０００７】
本発明は、前記のような事情に鑑みて創作したものであり、バインダの分別廃棄処理作業を行う際に、バインダを構成するバインダ金具をバインダ本体から取り外し易くし、その取り外し作業コストを低減化するとともに、バインダ金具の取り外し時にバインダ金具を傷付けないで、再利用することができるバインダを提供することを目的とするものである。
【０００８】
また、バインダのバインダ金具に綴じた紙葉類が一杯になった場合には、バインダ金具から紙葉類を取り外し、この紙葉類に穿設した綴り孔に簡単な綴り杵を挿通し、この綴り杵の両端部を、両表紙に穿設した孔に挿通固定して、バインダ金具を使用しないで、紙葉類を綴り保管することができるバインダ本体を提供することを目的とするものである。
【０００９】
また、バインダ本体の背表紙の中央部の内側縁に、両表紙を切り起こして形成したバインダ金具の支持片に、長手方向に摺動しないように取り付けられ、また、前記バインダ本体の両表紙を切り起こして形成したバインダ金具の支持片の後に残る開口を隠すために、背表紙の外側に貼った化粧紙の内側から当接してこれを損傷させないようにしたバインダ金具を提供することを目的とするものである。
【００１０】
【課題を解決するための手段】
前記目的を達成するために、請求項１に係る発明のバインダ本体１４は、背表紙１０と、この背表紙１０の中央部の両側縁部に内方に向かって一体に対向立設し、上端から垂直および水平方向に連接したロックピン挿嵌溝１１ａと、長手方向の所定間隔位置に穿設した紙葉類の綴り杵１３を挿通固定し得る孔１１ｂとを有するバインダ金具の支持片１１と、この支持片１１の立設位置を除く前記背表紙１０の両側縁部に回動自在に連接した両表紙１２、１２とより形成されたものである。
【００１１】
また、請求項２に係る発明のバインダ金具２１は、バインダ本体１４に形成したバインダ金具の支持片１１に上方から長手方向に移動しないように嵌合するため、長手方向の両端に形成した前記支持片１１の長手方向の両端に当接する折曲部１５ｅと逆Ｕ字状溝１５ａとを有する支持部材１５と、この支持部材１５の上端に長手方向に摺動自在に嵌合した摺動体１６と、この摺動体１６に前記支持部材１５の逆Ｕ字状溝１５ａを架橋するように固定し、前記バインダ金具の支持片１１のロックピン挿嵌溝１１ａに上端から垂直方向に挿通し、さらに、前記摺動体１６とともに水平方向に移動してロックされるロックピン１７と、前記支持部材１５の互いに対向する内壁１５ｂに直角に固定した紙葉類の綴り杵１８と、対向する他方の支持部材１５の内壁に直角に固定した前記綴り杵１８が挿嵌される紙葉類の綴り筒杵１９と、前記支持部材１５の長手方向の両端部に外方に突出し、前記バインダ本体１４の両表紙１２、１２を閉じたときにこの両表紙１２、１２の当接部１２ｂによって前記支持部材１５が互いに内方に押動される突起部２０とより構成されたものである。
【００１２】
また、請求項３に係る発明のバインダ２２は、請求項１に係る発明のバインダ本体１４と、請求項２に係る発明のバインダ金具２１との組み合わせで構成されたものである。
【００１３】
前記のようなバインダ本体としたことにより、バインダ金具がきわめて簡単に取り付け、取り外し易くなり、また、紙葉類の綴りが一杯になってそれを保管する場合には、紙葉類が一杯に綴じられたバインダ金具をバインダ本体から簡単に外し、さらに、バインダ金具から紙葉類を外し、その紙葉類に穿設した綴り孔に綴り杵１３を貫通するとともに、この綴り杵１３の両端を、バインダ金具の支持片１１に穿設した孔１１ｂに固定して、一杯になった紙葉類を保管することができる。
【００１４】
また、前記のようなバインダ金具としたことにより、このバインダ金具をバインダ本体のバインダ金具の支持片１１に、その長手方向に移動しないように簡単に取り付け、取り外すことができるとともに、バインダ本体の表紙を閉じたときに、その表紙によってバインダ金具の対向配設された逆Ｕ字状溝１５ａを有する支持部材１５、１５が互いに内方に押動されるので、バインダ本体の表紙に切り起こし形成された前記バインダ金具の支持片１１の後に残る開口１２ａを隠すために背表紙の外側から貼った化粧紙２３を、バインダ金具が押して傷付けるようなことがなくなる。
【００１５】
【発明の実施の形態】
以下、本発明のバインダ本体とバインダ金具とバインダとを図面を参照して詳細に説明する。
図１は請求項１に係る発明のバインダ本体１４の斜視図であり、厚紙や焼却時にダイオキシンが発生しないポリプロピレンやポリスチレンなどのプラスチックで形成されており、背表紙１０と、この背表紙１０の中央部の両側縁部に内方に向かって一体に対向立設し、上端から垂直および水平方向に連接したロックピン挿嵌溝１１ａと、長手方向の所定間隔位置に穿設した紙葉類の綴り杵１３を挿通固定し得る孔１１ｂとを有するバインダ金具の支持片１１と、この支持片１１の立設位置を除く前記背表紙１０の両側縁部に回動自在に連接した両表紙１２、１２とより形成されたものである。
【００１６】
このようなバインダ本体１４としたことにより、後述するバインダ金具２１のロックピン１７を、バインダ金具の支持片１１に形成したロックピン挿嵌溝１１ａに、垂直および水平方向に挿嵌することにより、バインダ金具をきわめて簡単に取り付け、取り外し易くなる。また、紙葉類の綴りが一杯になってそれを保管する場合には、紙葉類が一杯に綴じられたバインダ金具をバインダ本体１４から簡単に外し、さらに、バインダ金具から紙葉類を外し、その紙葉類に穿設した綴り孔に焼却時にダイオキシンが発生しないプラスチックで形成された綴り杵１３を貫通するとともに、この綴り杵１３の両端を、バインダ金具の支持片１１に穿設した孔１１ｂに固定して、一杯になった紙葉類を保管することができる。
【００１７】
また、図２は請求項２に係る発明のバインダ金具２１の斜視図、図３は図２のＡ−Ａ線における断面図であり、バインダ本体１４に形成したバインダ金具の支持片１１に上方から長手方向に移動しないように嵌合するため、長手方向の両端に形成した前記支持片１１の長手方向の両端に当接する折曲部１５ｅと逆Ｕ字状溝１５ａとを有する支持部材１５と、この支持部材１５の上端に長手方向に摺動自在に嵌合した摺動体１６と、この摺動体１６に前記支持部材１５の逆Ｕ字状溝１５ａを架橋するように固定し、前記バインダ金具の支持片１１のロックピン挿嵌溝１１ａに上端から垂直方向に挿通し、さらに、前記摺動体１６とともに水平方向に移動してロックされるロックピン１７と、前記支持部材１５の互いに対向する内壁１５ｂに直角に固定した紙葉類の綴り杵１８と、対向する他方の支持部材１５の内壁に直角に固定した前記綴り杵１８が挿嵌される紙葉類の綴り筒杵１９と、前記支持部材１５の長手方向の両端部に外方に突出し、前記バインダ本体１４の両表紙１２、１２を閉じたときにこの両表紙１２、１２の当接部１２ｂ（図４参照）によって前記支持部材１５が互いに内方に押動される突起部２０とより構成されたものである。この突起部２０の高さは、その平坦な頂部が前記支持部材１５の外壁１５ｃより外側に位置するような高さである。また、図２〜図４において前記綴り杵１８が左側の支持部材１５に取り付けられ、前記綴り筒杵１９が右側の支持部材１５に取り付けられているが、これを逆にしてもよい。
【００１８】
前記ロックピン１７は、前記逆Ｕ字状溝１５ａを有する支持部材１５の外壁１５ｃに穿設した長孔１５ｄに頭部１７ａが位置するように逆Ｕ字状溝１５ａに架橋し、頭部１７ａと反対の先端部を、前記摺動体１６に固定して設けられている。前記摺動体１６の上端にはこれを摺動させるときに押すツマミ１６ａが設けられている。また、前記摺動体１６の互いに対向する面１６ｂ、１６ｂに所定間隔の小孔１６ｃが穿設されており、前記摺動体１６を一方に摺動し終え、または他方に摺動し終えたときに前記小孔１６ｃに嵌合する小突起（図示しない）が、前記逆Ｕ字状溝１５ａを有する支持部材１５の互いに対向する内壁１５ｂに突設されている。また、前記逆Ｕ字状溝１５ａを有する支持部材１５の互いに対向する内壁１５ｂの下端縁部に沿って内方に折曲部１５ｆが形成されて、前記逆Ｕ字状溝１５ａを有する支持部材１５を前記バインダ本体１４のバインダ金具の支持片１１に挿嵌し易くしている。
【００１９】
このようなバインダ金具２１をバインダ本体１４のバインダ金具の支持片１１に取り付けるには、前記摺動体１６を図４において右方に摺動させてロックピン１７を長孔１５ｄの右端に移動させておく。そして、このバインダ金具２１のロックピン１７を、図４に示すように、バインダ金具の支持片１１のロックピン挿嵌溝１１ａの上方に持って来て垂直方向に挿嵌し、さらに、前記摺動体１６を図において左方に摺動させて、ロックピン１７をロックピン挿嵌溝１１ａの水平部に移動させることにより、バインダ金具２１をバインダ本体１４に簡単に取り付けることができる。バインダ金具２１をバインダ本体１４から取り外す場合はその逆の操作を行えばよい。
【００２０】
また、図５は請求項３に係る発明のバインダを内方から見た斜視図、図６は同外方から見た斜視図であり、請求項１に係る発明のバインダ本体１４と請求項２に係るバインダ金具２１とを組み合わせて構成したバインダ２２である。図４、図５、図６に示す符号２３は、バインダ本体１４の表紙１２に切り起こし形成された前記バインダ金具の支持片１１の後に残る開口１２ａを隠す化粧紙である。
【００２１】
【発明の効果】
請求項１に係る発明のようなバインダ本体としたことにより、バインダ金具をきわめて簡単に取り付け、取り外し易くなり、また、紙葉類の綴りが一杯になってそれを保管する場合には、紙葉類が一杯に綴じられたバインダ金具をバインダ本体から簡単に外し、さらに、バインダ金具から紙葉類を外し、その紙葉類に穿設した綴り孔に綴り杵を貫通するとともに、この綴り杵の両端を、バインダ金具の支持片に穿設した孔に固定して、一杯になった紙葉類を保管することができる。
また、このバインダ本体は単独で販売することができる。
【００２２】
また、請求項２に係る発明のバインダ金具は、逆Ｕ字状溝を有する支持部材の長手方向の両端に、バインダ本体のバインダ金具の支持片の長手方向の両端に当接する折曲部を形成したので、バインダ金具を前記バインダ金具の支持片に、その長手方向に移動しないように簡単に取り付け、取り外すことができる。
また、バインダ金具の対向配設された逆Ｕ字状溝を有する支持部材の両端部に、外方に向けて突起部を形成したので、バインダ本体の表紙を閉じたときに、その表紙によって前記突起部が押されて、前記逆Ｕ字状溝を有する支持部材が互いに内方に押動されるので、バインダ本体に切り起こし形成された前記バインダ金具の支持片の後に残る開口を隠す化粧紙を、バインダ金具が押して傷付けるようなことがなくなる。
また、このバインダ金具は単独で販売することができる。
【００２３】
また、請求項３に係る発明のようなバインダとしたことにより、特に焼却可能部材と不焼却部材とを分別して廃棄処理する時に、焼却可能部材であるバインダ本体から、不焼却部材であるバインダ金具を簡単に取り外して分別廃棄することができる。また、バインダ金具は傷付かないように取り外すことができるので、このバインダ金具を再利用してバインダ本体と組み合わせてバインダを構成することができる。
【図面の簡単な説明】
【図１】請求項１に係る発明のバインダ本体の斜視図である。
【図２】請求項２に係る発明のバインダ金具の斜視図である。
【図３】図２のＡ−Ａ線における断面図である。
【図４】請求項３に係る発明のバインダの組み立て前の斜視図である。
【図５】請求項３に係る発明のバインダを内方から見た斜視図である。
【図６】請求項３に係る発明のバインダを外方から見た斜視図である。
【図７】従来のバインダの要部を示す斜視図である。
【符号の説明】
１０　　　背表紙
１１　　　バインダ金具の支持片
１１ａ　　ロックピン挿嵌溝
１１ｂ　　孔
１２　　　表紙
１２ａ　　開口
１２ｂ　　当接部
１３　　　紙葉類の綴り杵
１４　　　バインダ本体
１５　　　逆Ｕ字状溝を有する支持部材
１５ａ　　逆Ｕ字状溝
１５ｂ　　内壁
１５ｃ　　外壁
１５ｄ　　長孔
１５ｅ　　折曲部
１５ｆ　　折曲部
１６　　　摺動体
１６ａ　　ツマミ
１６ｂ　　対向する面
１６ｃ　　小孔
１７　　　ロックピン
１７ａ　　頭部
１８　　　紙葉類の綴り杵
１９　　　紙葉類の綴り筒杵
２０　　　突起部
２１　　　バインダ金具
２２　　　バインダ
２３　　　化粧紙
【図１】
2004082665.tif 000003
【図２】
2004082665.tif 000004
【図３】
2004082665.tif 000005
【図４】
2004082665.tif 000006
【図５】
2004082665.tif 000007
【図６】
2004082665.tif 000008
【図７】
2004082665.tif 000009